(57)【特許請求の範囲】
【請求項１】
リール本体と、
前記リール本体に回転可能に支持されたロータと、
前記リール本体に取り付けられたハンドルの回転に連動して回転し、この回転力を前記ロータに伝達する駆動筒軸と、
前記駆動筒軸内を貫通して延び、前記ハンドルの回転に連動して前後動するスプール軸と、
前記スプール軸に支持され、前記ロータの回転によって釣糸が巻回されるスプールと、
を具備し、
前記スプール軸は、前記駆動筒軸とその略全長にわたって接触しないように、支持部材によって支持され、
前記支持部材は、前記ロータを前記駆動筒軸に固定するためのナットに形成された抜け止め用の段部によって抜け止め支持されるとともに、前記駆動筒軸よりも前方側で前記スプール軸に当接してスプール軸を支持する当接支持部を有し、この当接支持部は、抜け止め用の前記段部よりも前方側に延出する延出部を形成していることを特徴とする魚釣用スピニングリール。
【請求項２】
抜け止め用の前記段部が前記ナットに一体形成されていることを特徴とする請求項１に記載の魚釣用スピニングリール。
【請求項３】
前記支持部材の前記当接支持部は、前記駆動筒軸内に延びる内側延出部を有していることを特徴とする請求項１または請求項２に記載の魚釣用スピニングリール。
【請求項４】
前記駆動筒軸の後部には、前記スプール軸と当接してこれを支持する支持部が一体または別体で設けられていることを特徴とする請求項１ないし請求項３のいずれか１項に記載の魚釣用スピニングリール。
【発明の詳細な説明】
【０００１】
【発明の属する技術分野】
本発明は、魚釣用スピニングリールに関する。
【０００２】
【従来の技術】
一般に、魚釣用スピニングリールは、リール本体と、リール本体から延出する脚部と、脚部の端部に形成されて釣竿に取り付けられる竿取付部とを有している。前記リール本体内には、ハンドルが固定されるハンドル軸が回転可能に支持されている。また、ハンドル軸にはドライブギアが固定されており、このドライブギアには、ハンドル軸に対して直交する方向に延び且つリール本体に回転可能に支持された管状の駆動筒軸（ピニオンギア）が噛合している。また、ピニオンギアの先端部にはロータが一体的に取り付けられ、ハンドル軸と直交する方向に延在するスプール軸がピニオンギアを貫通している。この場合、スプール軸は、ピニオンギアと同心的に配されており、オシレート機構によりハンドル軸と直交する方向に沿って前後動できる。また、スプール軸の先端部には釣糸が巻回されるスプールが取り付けられている。
【０００３】
【発明が解決しようとする課題】
このように、魚釣用スピニングリールにあっては、前記オシレート機構を介してスプール軸がピニオンギア内で前後動されることにより、釣糸がスプールに平行（均等）に巻回される。この場合、一般に、ピニオンギアの内周面が全てスプール軸に接触しており、ピニオンギアとスプール軸との接触面は、軸方向に摺動しながら回転する摺接面となっている。
【０００４】
しかしながら、このようにピニオンギアの内周面が全てスプール軸に接触していると、長期の使用によって摺接面の摩耗が進む。そのため、スプール軸とピニオンギアとのガタが大きくなって交換が必要となるが、ピニオンギアを交換すると、部品単価が高いため、メンテナンスコストが増えるといった問題が生じる。
【０００５】
また、ピニオンギアを交換すると、新規のピニオンギアとドライブギアとの間に噛み合い誤差が生じるため、回転不良にならないようにラッピングを行なう必要がでてくる。
【０００６】
このような問題は、ピニオンギアとスプール軸との摺動抵抗を減らすことによってある程度解決され得る。そのため、実用新案登録第２５３０５２３号および特開平１１−２０６２８７号公報には、軸受またはカラーによってスプール軸をピニオンギア内で支持することにより両者の摺動抵抗を減らす技術が開示されている。
【０００７】
しかしながら、実用新案登録第２５３０５２３号および特開平１１−２０６２８７号公報に開示された技術は何れも、軸受またはカラーがピニオンギアの内部に支持されているため、これら軸受やカラーを支持するピニオンギアの肉厚が薄くなり、ピニオンギアの強度が低下するといった問題がある。
【０００８】
また、一般に、従来のスピニングリールにおいて、スプール軸の前方側はピニオンギアによって支持されているが、ピニオンギアよりも前方側でスプール軸は支持されていないため、スプールの前後動によってスプールが最も前方に位置した場合（スプールの前方側がピニオンギアによる支持部を超えて大きく突出した場合）には、スプール軸の支持が不十分となり、ガタ付きを生じる不具合がある。このような不具合は、前記実用新案登録第２５３０５２３号および特開平１１−２０６２８７号公報に開示された技術においても生じる。すなわち、これらの技術では、ピニオンギアの内部でスプール軸が軸受またはカラーによって支持されており、ピニオンギアよりも前方側でスプール軸が支持されていないため、スプール軸の支持が不十分となり、ガタ付きを生じる虞がある。
【０００９】
本発明は前記事情に着目してなされたものであり、その目的とするところは、ピニオンギアの強度を低下させることなくピニオンギアとスプール軸との摺動抵抗を減らすことができるとともに、スプール軸を十分に支持してスプール軸のガタ付きを抑えることができる魚釣用スピニングリールを提供することにある。
【００１０】
【課題を解決するための手段】
前記課題を解決するために、本発明の魚釣用スピニングリールは、リール本体と、前記リール本体に回転可能に支持されたロータと、前記リール本体に取り付けられたハンドルの回転に連動して回転し、この回転力を前記ロータに伝達する駆動筒軸と、前記駆動筒軸内を貫通して延び、前記ハンドルの回転に連動して前後動するスプール軸と、前記スプール軸に支持され、前記ロータの回転によって釣糸が巻回されるスプールとを具備し、前記スプール軸は、前記駆動筒軸とその略全長にわたって接触しないように、支持部材によって支持され、前記支持部材は、前記ロータを前記駆動筒軸に固定するためのナットに形成された抜け止め用の段部によって抜け止め支持されるとともに、前記駆動筒軸よりも前方側で前記スプール軸に当接してスプール軸を支持する当接支持部を有し、この当接支持部は、抜け止め用の前記段部よりも前方側に延出する延出部を形成していることを特徴とする。
【００１１】
【発明の実施の形態】
以下、図面を参照しつつ本発明の実施形態について説明する。なお、本発明において、「前側」「先端側」とは、リールのスプール（ベール）側を意味し、「後側」「基端側」とは、その反対の側を意味している。
【００１２】
図１および図２は本発明の第１の実施形態を示している。これらの図に示されるように、本実施形態の魚釣用スピニングリール１は、リール本体１ａと、リール本体１ａから延出する脚部１ｂと、脚部１ｂの端部に形成され且つ図示しない釣竿に取り付けられる竿取付部１ｃとを有している。リール本体１ａ内には、ハンドル５が固定されるハンドル軸２が回転可能に支持されている。ハンドル軸２にはドライブギア３が固定されており、このドライブギア３には、ハンドル軸２に対して直交する方向に延び且つリール本体１ａに軸受１１を介して回転可能に支持された管状の駆動筒軸（以下、ピニオンギアという）１３が噛合している。このピニオンギア１３の先端部には、ベール６および釣糸案内部１５を備えたロータ８が、ナット４２を介して一体的に取り付けられている。
【００１３】
ハンドル軸２と直交する方向に延在するスプール軸９がピニオンギア１３を貫通している。この場合、スプール軸９は、ピニオンギア１３と同心的に配されており、ハンドル軸２と直交する方向に沿って前後動できる。また、スプール軸９の先端部には釣糸が巻回されるスプール１０が取り付けられている。
【００１４】
また、ドライブギア３にはピニオンギア１３を介してオシレーティング機構１９が係合している。このオシレーティング機構１９は、ピニオンギア１３と噛み合って回転するウォームシャフト（トラバースカム軸）１９ａと、ウォームシャフト１９ａの溝と噛み合い且つスプール軸９に対してその軸方向に移動不能に取り付けられたスライダ１９ｂとからなり、ハンドル軸２がハンドル５の回転操作によって回転されると、スプール軸９を軸方向に沿って往復駆動（前後動）する。
【００１５】
このような構成では、ハンドル５を回転操作してハンドル軸２を回転させると、ドライブギア３およびピニオンギア１３を介してロータ８が回転駆動するとともに、ピニオンギア１３およびオシレーティング機構１９を介してスプール軸９に取り付けられたスプール１０が前後に往復動する。したがって、スプール１０には、釣糸案内部１５を介して、釣糸が均等に巻回される。
【００１６】
また、リール本体１ａには、ロータ８の逆回転を防止する逆転防止機構が設けられている。この逆転防止機構は、ピニオンギア１３に対して回り止め嵌合され且つ軸受１２を介してピニオンギア１３とともにリール本体１ａに回転可能に支持された内輪２０と、内輪２１の外側に配された環状の保持体２７と、保持体２７の外側に配され且つリール本体１ａに取付け固定された外輪２５とを有している。
【００１７】
保持体２７は複数の転動部材２７ａを保持している。各転動部材２７ａは、内輪２０の外周面と摩擦接触して内輪２０の回転動作によって転動するとともに、外輪２５の内周面と摩擦接触することができる。また、外輪２５の内周面には、各転動部材２７ａがフリーに回転（転動）できるフリー回転領域と、各転動部材２７ａと摩擦接触して各転動部材２７ａの回転を阻止する楔領域とが形成されている。また、各転動部材２７ａは、保持体２７に設けられたバネ部材（図示せず）によって、前記楔領域に向けて常時付勢されている。また、保持体２７は、各転動部材２７ａが前記バネ部材の付勢力に抗してフリー回転領域に強制的に位置される逆転可能位置と、各転動部材２７ａが楔領域とフリー回転領域とを自由に移動できる逆転防止位置との間で、内輪２０に対し回動できる。
【００１８】
保持体２７には、保持体２７とともに回動する回動部材２１が取付け固定されている。この回動部材２１の端部にはスリット孔２１ａが設けられている。また、スリット孔２１ａには、回動部材２１を介して保持体２７を逆転可能位置と逆転防止位置との間で回動させるための切換操作軸２２の一端部２２ａが係合している。切換操作軸２２は、スプール軸９と平行に延びるとともに、リール本体１ａに回動可能に支持されており、その他端部がリール本体１ａの後端部から外部に突出している。なお、リール本体１ａの後端部から突出する切換操作軸２２の他端部には、操作ツマミ２３が取り付けられている。
【００１９】
このような構成の逆転防止機構では、操作ツマミ２３を一方向に操作することにより保持体２７を回動させて逆転防止位置に位置させると、ロータ８の正回転が許容され逆回転が阻止される。すなわち、保持体２７が逆転防止位置に位置された状態で、ピニオンギア１３とともに内輪２０が正回転する（ロータ８が糸巻き取り方向に正回転する）と、保持体２７の転動部材２７ａが外輪２５のフリー回転領域に位置され、内輪２０の回転に伴う転動部材２７ａの転動が外輪２５によって阻止されない。したがって、内輪２０すなわちロータ８はそのまま正回転し続けることができる。しかし、ピニオンギア１３とともに内輪２０が逆回転する（ロータ８が糸繰り出し方向に回転する）と、保持体２７の転動部材２７ａが外輪２５の楔領域に位置され、内輪２０の回転に伴う転動部材２７ａの転動が外輪２５によって阻止される。したがって、内輪２０すなわちロータ８は逆回転することができない。
【００２０】
一方、操作ツマミ２３を他方向に操作することにより保持体２７を回動させて逆転可能位置に位置させると、ロータ８の正回転および逆回転の両方が許容される。すなわち、保持体２７が逆転可能位置に位置されると、保持体２７の転動部材２７ａが外輪２５のフリー回転領域に強制的に位置されて保持されるため、ピニオンギア１３とともに内輪２０を正回転させても、あるいは、ピニオンギア１３とともに内輪２０を逆回転させても、内輪２０の回転に伴う転動部材２７ａの転動が外輪２５によって阻止されず、内輪２０すなわちロータ８は正回転および逆回転をすることができる。
【００２１】
図２に明確に示されるように、スプール軸９は、ピニオンギア１３とその略全長にわたって接触しないように、支持部材としてのカラー部材４０によって支持されている。具体的には、スプール軸９は、ピニオンギア１３の基端（図中右側の端）に一体形成された支持部１３ａと、ピニオンギア１３の先端面（図中左側の端面）に当接してピニオンギア１３の前側に位置するカラー部材４０とによって前後動可能に支持されており、ピニオンギア１３の支持部１３ａ以外の部位でピニオンギア１３と接触していない。
【００２２】
カラー部材４０は、ロータ８をピニオンギア１３に固定するためのナット４２に形成（一体形成）された抜け止め用の段部４２ａによって抜け止め支持されている（軸方向の移動が規制されている；スプール軸９からの抜けが防止されている）。また、カラー部材４０は、ピニオンギア１３の前方側でスプール軸９に当接してスプール軸９を支持する当接支持部４０ａを有しており、この当接支持部４０ａは、抜け止め用の段部４２ａよりも前方側に延出する延出部４０ｂを形成している。
【００２３】
以上のように、本実施形態の魚釣用スピニングリール１において、スプール軸９は、ピニオンギア１３とその略全長にわたって接触しないように、ナット４２の段部４２ａで抜け止めされたカラー部材４０によって支持されている。したがって、ピニオンギア１３の内周面の加工を容易としながら、ピニオンギア１３とスプール軸９との摺動抵抗を減らすことができ、ロータ８の回転が摩擦抵抗（摺動抵抗）によって重くなることを防ぐことができる。また、摺動面の摩耗が進んで摺動面とスプール軸９とのクリアランスが拡大してしまった場合でも、カラー部材４０のみ交換すれば済むため、メンテナンスコストを減らすことができる。また、ピニオンギア１４を交換せずに済むため、ピニオンギア１３とドライブギア３との良好な噛み合いを維持でき、新品のピニオンギア１３の変更時に必要となる噛み合い適正化のためのラッピング加工を無くすことができる。
【００２４】
また、本実施形態において、カラー部材４０は、ピニオンギア１３よりも前方側でスプール軸９に当接してスプール軸を支持する当接支持部４０ａを有し、この当接支持部４０ａは、抜け止め用の段部４２ａよりも前方側に延出する延出部４０ｂを形成している。したがって、ピニオンギア１３よりも前方側でスプール軸９を支持できるため、従来と比較してロータ８より前側のスプール軸９の撓みやガタを効果的に抑えることができる。また、ピニオンギア１３の外側にカラー部材４０があるため、ピニオンギア１３が薄肉になって強度が低下することを防止できる。
【００２５】
また、本実施形態において、カラー部材４０の抜け止めを行なう段部４２ａは、ナット４２に一体形成されている。したがって、組み込み作業性が良好となり、また、部品点数の削減が可能である。
【００２６】
また、本実施形態において、スプール軸９は、カラー部材４０だけでなく、ピニオンギア１３の後部に一体形成された支持部１３ａによっても支持されているため、すなわち、前方側だけでなく後方側も支持されているため、大きく離間してスプール軸９を十分に支持することができ、スプール軸９のガタ付きをより効果的に抑えることができる。
【００２７】
更に、本実施形態においては、カラー部材４０の前方延出部４０ｂがナット４２の前方側端面４２ｂよりも前方側に延びているため、更に大きく離間した範囲でスプール軸９を支持でき、スプール軸９のガタ付きを極力減らすことが可能となる。
【００２８】
図３は、本発明の第２の実施形態を示している。なお、本実施形態において、第１の実施形態と共通する構成部分については、以下、同一符号を付してその説明を省略する。
【００２９】
図示のように、本実施形態において、ロータ８とピニオンギア１３とを結合するナット４２は、本体部材４５と、この本体部材４５にネジ４７により固定された別体のプレート４６とによって構成されており、カラー部材４０の抜け止めを行なう段部４２ａがプレート４６によって形成されている。なお、それ以外の構成は、第１の実施形態と同じである。したがって、本実施形態の構成によっても、第１の実施形態と同様の作用効果を得ることができる。
【００３０】
図４は、本発明の第３の実施形態を示している。なお、本実施形態において、第１の実施形態と共通する構成部分については、以下、同一符号を付してその説明を省略する。
【００３１】
図示のように、本実施形態において、カラー部材４０は、ピニオンギア１３の先端部の外周面を支持する外側延出部４０ｃを有している。なお、それ以外の構成は、第１の実施形態と同じである。したがって、本実施形態の構成によっても、第１の実施形態と同様の作用効果を得ることができる。
【００３２】
図５は、本発明の第４の実施形態を示している。なお、本実施形態において、第１の実施形態と共通する構成部分については、以下、同一符号を付してその説明を省略する。
【００３３】
図示のように、本実施形態において、カラー部材４０の当接支持部４０ａは、ピニオンギア１３内に延びる内側延出部４０ｄを有している。なお、それ以外の構成は、第１の実施形態と同じである。
【００３４】
このような構成によれば、第１の実施形態と同様の作用効果を得ることができるとともに、ピニオンギア１３内に延びる内側延出部４０ｄによってもスプール軸９を支持できるため、スプール軸９を支持するために必要な支持面幅を大きく確保でき、スプール軸９の支持を安定して行なえる。
【００３５】
図６は、本発明の第５の実施形態を示している。なお、本実施形態は、第４の実施形態の変形例であるため、第４の実施形態と共通する構成部分については、以下、同一符号を付してその説明を省略する。
【００３６】
図示のように、本実施形態において、ピニオンギア１３の後部には、スプール軸９と当接してこれを支持する支持部５０ａを有するカラー部材５０が、ピニオンギア１３と別体で設けられている。なお、それ以外の構成は、第４の実施形態と同じである。
【００３７】
このような構成によれば、第４の実施形態と同様の作用効果を得ることができるとともに、スプール軸９を前方側だけでなく後方側でも支持できるため、大きく離間してスプール軸９を十分に支持することができ、スプール軸９のガタ付きをより効果的に抑えることができる。
【００３８】
【発明の効果】
以上説明したように、本発明の魚釣用スピニングリールによれば、ピニオンギアの強度を低下させることなくピニオンギアとスプール軸との摺動抵抗を減らすことができるとともに、スプール軸を十分に支持してスプール軸のガタ付きを抑えることができる。
【図面の簡単な説明】
【図１】本発明の第１の実施形態に係る魚釣用スピニングリールの部分側断面図である。
【図２】図１の魚釣用スピニングリールの要部拡大断面図である。
【図３】本発明の第２の実施形態に係る魚釣用スピニングリールの要部拡大断面図である。
【図４】本発明の第３の実施形態に係る魚釣用スピニングリールの要部拡大断面図である。
【図５】本発明の第４の実施形態に係る魚釣用スピニングリールの要部拡大断面図である。
【図６】本発明の第５の実施形態に係る魚釣用スピニングリールの要部拡大断面図である。
【符号の説明】
１…スピニングリール
１ａ…リール本体
２…ハンドル軸
３…ドライブギア
５…ハンドル
８…ロータ
９…スプール軸
１０…スプール
１３…ピニオンギア（駆動筒軸）
１３ａ…支持部
４０…カラー部材（支持部材）
４０ａ…当接支持部
４０ｂ…延出部
４０ｄ…内側延出部
４２…ナット
４２…段部
【図１】
0003857942.tif 000002
【図２】
0003857942.tif 000003
【図３】
0003857942.tif 000004
【図４】
0003857942.tif 000005
【図５】
0003857942.tif 000006
【図６】
0003857942.tif 000007